(57)【要約】      （修正有）【課題】充分に広い範囲に亙って安定した視野制御を行なうことができる視野角可変型の液晶表示装置を提供する。【解決手段】一対の基板１１，１２間に液晶層１３が設けられ、一方の基板１２の内面に、液晶層１３に基板１２面に実質的に平行な方向の横電界を生成するための互いに絶縁された第１と第２の電極１４，１５が設けられ、他方の基板１１の内面には、表示領域に対応する第３の電極２５が設けられ、一対の基板１１，１２を挟んで一対の偏光板２９，３０が配置された液晶表示素子１０と、前記第１と第２の電極１４，１５間に画像データに対応する表示駆動電圧を供給し、その電極１４，１５間に横電界を生成する画像表示駆動手段と、前記第１の電極１４と第３の電極２５との間に表示駆動電圧に対して独立した視野角制御電圧を供給し、その電極１４，２５間に液晶層１３の厚さ方向と実質的に平行な方向の縦電界を生成させる視野角制御駆動手段とを備えた。【選択図】図３
2006337600.tif 000002
【特許請求の範囲】
【請求項１】
間隙を存して対向する一対の基板間に液晶層が設けられ、前記一対の基板の互いに対向する内面のうち、一方の基板の内面に、前記液晶層に前記基板面と実質的に平行な方向の横電界を生成するための互いに絶縁された第１と第２の電極が設けられ、他方の基板の内面に、少なくとも前記第１と第２の電極間に生成された前記横電界により液晶分子の配向状態が制御される領域からなる画素の全域に対応する第３の電極が設けられ、前記一対の基板を挟んで一対の偏光板が配置された液晶表示素子と、
前記液晶表示素子の前記第１と第２の電極間に画像データに対応する表示駆動電圧を供給し、前記第１と第２の電極間に前記横電界を生成する画像表示駆動手段と、
前記液晶表示素子の前記第１と第２の電極のいずれか一方と前記第３の電極との間に前記表示駆動電圧に対して独立した視野角制御電圧を供給し、その電極間に前記液晶層の厚さ方向と実質的に平行な方向の縦電界を生成する視野角制御駆動手段とを備えたことを特徴とする液晶表示装置。
【請求項２】
液晶表示素子の一方の基板の内面の第１と第２の電極のうち、前記第１の電極は、少なくとも画素の全域に対応させて形成され、前記第２の電極は、前記第１の電極を覆う絶縁膜の上に、前記画素よりも小さい面積を有し且つ縁部において前記第１の電極と対向する形状に形成され、、視野角制御駆動手段は、前記第１の電極と、前記液晶表示素子の他方の基板の内面の第３の電極との間に視野角制御電圧を供給することを特徴とする請求項１に記載の液晶表示装置。
【請求項３】
第２の電極は、複数の櫛歯部を有する櫛形形状にパターニングされた櫛形導電膜からなっていることを特徴とする請求項２に記載の液晶表示装置。
【請求項４】
第２の電極は、複数のスリットを有する形状にパターニングされたスリット形成導電膜からなっていることを特徴とする請求項２に記載の液晶表示装置。
【請求項５】
液晶表示素子の一方の基板の内面の第１と第２の電極は、基板面に沿った方向に間隔を隔てて設けられていることを特徴とする請求項１に記載の液晶表示装置。
【請求項６】
第１の電極は、複数の櫛歯部を有する櫛形形状にパターニングされた第１の櫛形導電膜からなり、第２の電極は、前記第１の櫛形導電膜の複数の櫛歯部にそれぞれ間隔を隔てて隣接する複数の櫛歯部を有する櫛形形状にパターニングされた第２の櫛形導電膜からなっていることを特徴とする請求項５に記載の液晶表示装置。
【請求項７】
液晶表示素子の一対の基板の内面にそれぞれ配向膜が形成され、それぞれの配向膜は、前記第１と第２の電極間に生成される横電界の方向に対して予め定めた角度で斜めに交差する方向に沿って互いに逆方向に配向処理されていることを特徴とする請求項１〜６のいずれかに記載の液晶表示装置。
【請求項８】
液晶表示素子の一対の基板の内面にそれぞれ配向膜が形成され、それぞれの配向膜は、第２の電極の縁部の長さ方向に対して予め定めた角度で斜めに交差する方向に沿って互いに逆方向に配向処理されていることを特徴とする請求項３、４、６のいずれかに記載の液晶表示装置。
【請求項９】
液晶表示素子の一対の基板の内面にそれぞれ配向膜が形成され、それぞれの配向膜は、前記液晶表示素子の画面の上下方向と実質的に平行な方向に沿って互いに逆方向に配向処理されており、一対の偏光板のうち、観察側の偏光板は、その透過軸を前記配向処理と実質的に平行にして配置され、反対側の偏光板は、その透過軸を前記観察側の偏光板の透過軸と実質的に直交または平行にして配置されていることを特徴とする請求項１〜６のいずれかに記載の液晶表示装置。
【発明の詳細な説明】
【技術分野】
【０００１】
この発明は、視野角の範囲を制御することができるようにした視野角可変型の液晶表示装置に関する。
【背景技術】
【０００２】
液晶表示素子として、間隙を存して対向する一対の基板間に、液晶分子がその分子長軸を一方向に揃えてホモジニアス配向した液晶層を設け、前記一対の基板の互いに対向する内面のうち、一方の基板の内面に、前記基板面と実質的に平行な方向の横電界を生成するための互いに絶縁された第１と第２の電極を設けた横電界制御型のものがある。
【０００３】
この横電界制御型液晶表示素子は、前記一方の基板の内面の第１と第２の電極間に画像データに対応する表示駆動電圧を供給し、前記第１と第２の電極間に生成した横電界により液晶分子の配向方位（分子長軸の向き）を前記基板面と実質的に平行な面内で制御して画像を表示するものであり、広い視野角を有している。
【０００４】
一方、例えば携帯電話機等に用いる液晶表示装置には、表示の視野角を、広視野角と、他人に覗き見されないような狭視野角とに切換えることができる視野角可変性が要求されされている。
【０００５】
前記横電界制御型液晶表示素子を用いた液晶表示装置には、表示の視野角を、広視野角と狭視野角とに切換えることができるようにした視野角可変型のものも提案されている。
【０００６】
視野角可変型の液晶表示装置としては、従来、前記横電界制御型液晶表示素子の他方の基板、つまり基板面と実質的に平行な方向の横電界を生成するための第１と第２の電極が設けられた一方の基板と対向する基板の内面に、前記第１と第２の電極の一方に対向する第３の電極を設け、前記第１と第２の電極の一方と前記第３の電極との間に、前記第１と第２の電極間に供給する表示駆動電圧（画像データに対応する電圧）と同じ電圧または前記表示駆動電圧の１／ｎの値の電圧を供給することにより、前記横電界の等電位線を歪ませ、その等電位線の歪みに応じた配向状態に液晶分子を配向させて表示の視野角を狭くするようにしたものがある（特許文献１参照）。
【特許文献１】特開平１１―３０７８３号公報
【発明の開示】
【発明が解決しようとする課題】
【０００７】
しかし、上記従来の視野角可変型液晶表示装置は、前記横電界制御型液晶表示素子の一方の基板の内面の第１と第２の電極の一方と、他方の基板の内面の第３の電極との間に、前記第１と第２の電極間に供給する表示駆動電圧と同じ電圧または前記表示駆動電圧の１／ｎの値の電圧を供給することにより、前記第１と第２の電極間に生成された横電界の等電位線を歪ませ、その等電位線の歪みに応じた配向状態に液晶分子を配向させて視野角を狭くするものであるため、前記表示駆動電圧、つまり画像データに応じて視野角が変動し、安定した視野角の制御、及び充分に広い範囲に亙る視野角制御を行なうことができない。
【０００８】
この発明は、充分に広い範囲に亙って安定した視野制御を行なうことができる視野角可変型の液晶表示装置を提供することを目的としたものである。
【課題を解決するための手段】
【０００９】
この発明の液晶表示装置は、間隙を存して対向する一対の基板間に液晶層が設けられ、前記一対の基板の互いに対向する内面のうち、一方の基板の内面に、前記液晶層に前記基板面と実質的に平行な方向の横電界を生成するための互いに絶縁された第１と第２の電極が設けられ、他方の基板の内面に、少なくとも前記第１と第２の電極間に生成された前記横電界により液晶分子の配向状態が制御される領域からなる画素の全域に対応する第３の電極が設けられ、前記一対の基板を挟んで一対の偏光板が配置された液晶表示素子と、前記液晶表示素子の前記第１と第２の電極間に画像データに対応する表示駆動電圧を供給し、前記第１と第２の電極間に前記横電界を生成する画像表示駆動手段と、前記液晶表示素子の前記第１と第２の電極のいずれか一方と前記第３の電極との間に前記表示駆動電圧に対して独立した視野角制御電圧を供給し、その電極間に前記液晶層の厚さ方向と実質的に平行な方向の縦電界を生成する視野角制御駆動手段とを備えたことを特徴とする。
【００１０】
この発明の液晶表示装置において、前記液晶表示素子の一方の基板の内面の前記第１と第２の電極のうち、前記第１の電極は、少なくとも前記画素の全域に対応させて形成し、前記第２の電極は、前記第１の電極を覆う絶縁膜の上に、前記画素よりも小さい面積を有し且つ縁部において前記第１の電極と対向する形状に形成し、前記視野角制御駆動手段を、前記第１の電極と前記液晶表示素子の他方の基板の内面の前記第３の電極との間に前記視野角制御電圧を供給するように構成するのが望ましい。
【００１１】
その場合、前記第２の電極は、複数の櫛歯部を有する櫛形形状にパターニングされた櫛形導電膜により形成するのが好ましい。
【００１２】
さらに、前記第２の電極は、複数のスリットを有する形状にパターニングされたスリット形成導電膜により形成するのがより好ましい。
【００１３】
また、前記液晶表示素子の一方の基板の内面の前記第１と第２の電極は、前記基板面に沿った方向に間隔を隔てて設けてもよい。
【００１４】
その場合、前記第１の電極は、複数の櫛歯部を有する櫛形形状にパターニングされた第１の櫛形導電膜により形成し、前記第２の電極は、前記第１の櫛形導電膜の複数の櫛歯部にそれぞれ間隔を隔てて隣接する複数の櫛歯部を有する櫛形形状にパターニングされた第２の櫛形導電膜により形成するのが好ましい。
【００１５】
さらに、この発明の液晶表示装置において、前記液晶表示素子は、前記一対の基板の内面にそれぞれ配向膜を形成し、それぞれの配向膜を、前記第１と第２の電極間に生成される横電界の方向に対して予め定めた角度で斜めに交差する方向に沿って互いに逆方向に配向処理した構成とするのが望ましい。
【００１６】
この発明の液晶表示装置において、上記のように、前記液晶表示素子の一方の基板の内面の第１の電極を、少なくとも画素の全域に対応する第１の導電膜により形成し、第２の電極を、櫛形導電膜またはスリット形成導電膜により形成する場合、あるいは、前記第１と第２の電極とを前記第１の櫛形導電膜と第２の櫛形導電膜により形成する場合は、前記一対の基板の内面に形成された配向膜をそれぞれ、前記第２の電極の縁部の長さ方向に対して予め定めた角度で斜めに交差する方向に沿って互いに逆方向に配向処理するのが好ましい。
【００１７】
さらに、この発明の液晶表示装置においては、前記液晶表示素子の一対の基板の内面に形成された配向膜をそれぞれ、前記液晶表示素子の画面の上下方向と実質的に平行な方向に沿って互いに逆方向に配向処理し、前記一対の偏光板のうち、観察側の偏光板を、その透過軸を前記配向処理と実質的に平行にして配置し、反対側の偏光板を、その透過軸を前記観察側の偏光板の透過軸と実質的に直交または平行にして配置するのが好ましい。
【発明の効果】
【００１８】
この発明の液晶表示装置は、前記画像表示駆動手段により、前記液晶表示素子の一方の基板の内面の第１と第２の電極間に画像データに応じた表示駆動電圧に対応する横電界を生成して画像を表示し、前記視野角制御駆動手段により、前記液晶表示素子の前記第１と第２の電極のいずれか一方と、前記液晶表示素子の他方の基板の内面に少なくとも前記画素（第１と第２の電極間に生成された横電界により液晶分子の配向状態が制御される領域）の全域に対応させて設けられた第３の電極との間に、前記表示駆動電圧に対して独立した視野角制御電圧に対応する縦電界を生成して表示の視野角を狭くするものであり、前記縦電界が生成されないときは、液晶層の液晶分子が、前記第１と第２の電極間に生成された前記横電界により前記基板面と実質的に平行な面内で配向方位（分子長軸の向き）を変えるため、広い視野角が得られる。
【００１９】
また、前記第１と第２の電極のいずれか一方と前記第３の電極との間に前記縦電界が生成されたときには、液晶分子が前記第１と第２の電極間に生成された横電界により配向方位が制御されるとともに、前記縦電界により前記基板面に対して斜めに立上がり配向するため、視野角が狭くなる。
【００２０】
この液晶表示装置は、前記液晶表示素子の前記第１と第２の電極のいずれか一方と、前記液晶表示素子の他方の基板の内面に少なくとも前記画素の全域に対応させて設けられた第３の電極との間に、前記表示駆動電圧に対して独立した視野角制御電圧に対応する縦電界を生成して表示の視野角を狭くするものであるため、充分に広い範囲に亙って安定した視野制御を行なうことができる。
【００２１】
この発明の液晶表示装置において、前記液晶表示素子の一方の基板の内面の前記第１と第２の電極のうち、前記第１の電極は、少なくとも前記画素の全域に対応させて形成し、前記第２の電極は、前記第１の電極を覆う絶縁膜の上に、前記画素よりも小さい面積を有し且つ縁部において前記第１の電極と対向する形状に形成し、前記視野角制御駆動手段を、前記第１の電極と前記液晶表示素子の他方の基板の内面の前記第３の電極との間に前記視野角制御電圧を供給するように構成するのが望ましく、このようにすることにより、前記第１の電極の第２の電極の縁部に対応する部分と前記第２の電極の縁部との間に前記横電界を生成し、その横電界により液晶分子の配向方位を変化させて良好な画像を表示するとともに、前記画素の前記縦電界を生成する領域を充分に大きくし、前記液晶分子を前記画素の略全域において斜めに立上がり配向させて、より安定した視野制御を行なうことができる。
【００２２】
その場合、前記第２の電極は、複数の櫛歯部を有する櫛形形状にパターニングされた櫛形導電膜により形成するのが好ましく、このようにすることにより、前記画素の多数箇所、つまり前記櫛形導電膜の各櫛歯部の両側の縁部にそれぞれ対応する部分に前記横電界を生成し、前記画素の略全域において液晶分子の配向方位を変化させて、より良好な画像を表示するとともに、前記第１の電極の前記櫛形導電膜の各櫛歯部の間に対応する部分と、前記画素の全域に対応する前記第３の電極との間に縦電界を生成して、前記画素の略全域において液晶分子を斜めに立上がり配向させ、さらに安定した視野制御を行なうことができる。
【００２３】
さらに、前記第２の電極は、複数のスリットを有する形状にパターニングされたスリット形成導電膜により形成するのがより好ましく、このようにすることにより、前記画素の多数箇所、つまり前記スリット形成導電膜に印加される電圧が均一になるため、各スリットの両側の縁部とそれぞれの縁部に対応する第１の電極の部分との間に均一な強さの横電界を生成し、前記画素の略全域において液晶分子の配向方位を均等に制御して、さらに良好な画像を表示するとともに、前記第１の電極の前記スリット形成導電膜の各スリットに対応する部分と、前記画素の全域に対応する前記第３の電極との間に縦電界を生成して、前記画素の略全域において液晶分子を斜めに立上がり配向させ、さらに安定した視野制御を行なうことができる。
【００２４】
また、前記液晶表示素子の一方の基板の内面の前記第１と第２の電極は、前記基板面に沿った方向に間隔を隔てて設けてもよく、このようにすることにより、前記第１と第２の電極の互いに対向する縁部の間に前記横電界を生成し、その横電界により液晶分子の配向方位を制御して画像を表示するとともに、前記第１と第２の電極のいずれか一方と、前記液晶表示素子の他方の基板の内面に少なくとも前記画素の全域に対応させて設けられた第３の電極との間への前記視野角制御電圧の供給によりその電極間に前記縦電界を生成し、安定した視野制御を行なうことができる。
【００２５】
その場合、前記第１の電極は、複数の櫛歯部を有する櫛形形状にパターニングされた第１の櫛形導電膜により形成し、前記第２の電極は、前記第１の櫛形導電膜の複数の櫛歯部にそれぞれ間隔を隔てて隣接する複数の櫛歯部を有する櫛形形状にパターニングされた第２の櫛形導電膜により形成するのが好ましく、このようにすることにより、前記画素の複数箇所に前記横電界を生成して液晶分子の配向方位を変化させ、良好な画像を表示することができる。
【００２６】
さらに、この発明の液晶表示装置において、前記液晶表示素子は、前記一対の基板の内面にそれぞれ配向膜を形成し、それぞれの配向膜を、前記第１と第２の電極間に生成される横電界の方向に対して予め定めた角度で斜めに交差する方向に沿って互いに逆方向に配向処理した構成とするのが望ましく、このようにすることにより、液晶分子を、前記配向処理方向、つまり前記横電界の方向に対して前記予め定めた角度で斜めに交差する方向に分子長軸を揃えて配向した無電界時の状態から、前記横電界の生成により一方向回りに配向方位を変えるように動作させ、輝度むらの無い画像を表示することができる。
【００２７】
この発明の液晶表示装置において、上記のように前記液晶表示素子の一方の基板の内面の第１の電極を、少なくとも画素の全域に対応する第１の導電膜により形成し、第２の電極を、櫛形導電膜またはスリット形成導電膜により形成する場合、あるいは、前記第１と第２の電極とを前記第１の櫛形導電膜と第２の櫛形導電膜により形成する場合は、前記一対の基板の内面に形成された配向膜をそれぞれ、前記第２の電極の縁部（第１と第２の電極の両方を櫛形導電膜により形成する場合は、第１と第２の両方の電極の縁部）の長さ方向に対して予め定めた角度で斜めに交差する方向に沿って互いに逆方向に配向処理するのが好ましく、このようにすることにより、液晶分子を、前記配向処理方向（横電界の方向に対して予め定めた角度で斜めに交差する方向）に分子長軸を揃えて配向した無電界時の状態から、前記横電界の生成により一方向回りに配向方位を変えるように動作させ、輝度むらの無い画像を表示することができる。
【００２８】
さらに、この発明の液晶表示装置においては、前記液晶表示素子の一対の基板の内面に形成された配向膜をそれぞれ、前記液晶表示素子の画面の上下方向と実質的に平行な方向に沿って互いに逆方向に配向処理し、前記一対の偏光板のうち、観察側の偏光板を、その透過軸を前記配向処理と実質的に平行にして配置し、反対側の偏光板を、その透過軸を前記観察側の偏光板の透過軸と実質的に直交または平行にして配置するのが好ましく、このようにすることにより、前記液晶表示素子の画面の上下方向対して左右方向に対称な広視野角特性と、前記液晶表示素子の画面の上下方向対して左右方向に対称な狭視野角特性とを得ることができる。
【発明を実施するための最良の形態】
【００２９】
（第１の実施形態）
図１〜図８はこの発明の第１の実施例を示しており、図１は液晶表示装置を備えた電子機器の正面図、図２は前記液晶表示装置の液晶表示素子の一方の基板の一部分の平面図、図３は前記液晶表示素子の一部分の断面図である。
【００３０】
まず、図１に示した電子機器について説明すると、この電子機器は、電話機本体１と、基端を前記電話機本体１の先端に枢支され、図のように電話機本体１の外方に張出された開状態と、前記電話機本体１の上に重ねられた閉状態とに開閉回動される蓋体２とからなる折りたたみ型携帯電話機であり、電話機本体１の前面（蓋体２の重なり面）に、キーボード部３及びマイク部４が設けられ、前記蓋体２の前面（折りたたみ時に電話機本体１の前面に対向する面）に、表示部５及びスピーカ部６が設けられている。
【００３１】
次に、液晶表示装置について説明すると、この実施例の液晶表示装置は、前記携帯電話機の蓋体２内に前記表示部５に対向させて配置された液晶表示素子１０と、前記蓋体２内に前記液晶表示素子１０の観察側とは反対側に対向させて配置された面光源（図示せず）と、画像表示駆動手段３２及び視野角制御駆動手段３５（図４〜図８参照）とを備えている。
【００３２】
前記液晶表示素子１０は、図２及び図３に示したように、間隙を存して対向する一対の透明基板１１，１２間に、正の誘電異方性を有するネマティック液晶からなる液晶層１３を設けたものであり、前記一対の基板１１，１２の互いに対向する内面のうち、一方の基板、例えば表示の観察側（図３において上側）とは反対側の基板１２の内面に、前記液晶層１３に前記基板１２面に沿った方向、つまり基板１２面と実質的に平行な方向の横電界を生成するための互いに絶縁された第１と第２の透明電極１４，１５が設けられ、これらの第１と第２の透明電極１４，１５間に生成される横電界により液晶分子の配向状態が制御される領域によって、画像を表示するための最小単位である画素Ａが形成され、この画素Ａが複数配列されている。
【００３３】
また、他方の基板、つまり観察側の基板１１の内面には、少なくとも前記画素Ａの全域に対応する第３の透明電極２５が設けられており、さらに、前記一対の基板１１，１２を挟んで一対の偏光板２９，３０が配置されている。
【００３４】
以下、前記液晶表示素子１０の前記画素Ａを形成するための第１と第２の電極１４，１４が設けられた一方の基板１２を画素形成電極基板といい、前記第３の透明電極が設けられた他方の基板１１を対向基板という。
【００３５】
前記画素Ａは、行方向（液晶表示素子１０の画面の左右方向）及び列方向（前記画面の上下方向）にマトリックス状に配列されており、前記画素形成電極基板１２の内面の前記第１と第２の電極１４，１５のうち、第１の電極１４は、少なくとも前記画素Ａの全域に対応させて形成され、第２の電極１５は、前記第１の電極１４を覆って設けられた層間絶縁膜２４の上に、前記画素Ａよりも小さい面積を有する形状に形成され、その縁部において前記第１の電極１４と対向している。
【００３６】
この液晶表示素子１０は、前記マトリックス状に配列した複数の画素ＡをＴＦＴ（薄膜トランジスタ）１６からなるアクティブ素子により選択して駆動するアクティブマトリックス液晶表示素子であり、前記第１の電極１４は、各画素行毎に、その行の複数の画素Ａに対応させて設けられ、前記第２の電極１５は、各画素Ａにそれぞれ対応させて設けられ、前記画素形成電極基板１２の内面に形成された複数のＴＦＴ１６にそれぞれ接続されている。
【００３７】
前記ＴＦＴ１６は、前記画素形成電極基板１２の基板面上に形成されたゲート電極１７と、前記ゲート電極１７を覆って画素形成電極基板１２の略全面に形成されたゲート絶縁膜１８と、このゲート絶縁膜１８の上に前記ゲート電極１７と対向させて形成されたｉ型半導体膜１９と、前記ｉ型半導体膜１９の両側部の上にｎ型半導体膜（図示せず）を介して設けられたソース電極２０およびドレイン電極２１とからなっている。
【００３８】
さらに、前記画素形成電極基板１２の内面には、各行のＴＦＴ１６にゲート信号を供給するための複数本のゲート配線２２と、各列のＴＦＴ１６にデータ信号を供給するための複数本のデータ配線２３とが設けられており、前記ゲート配線２２は、前記画素形成電極基板１２の基板面上に前記ＴＦＴ１６のゲート電極１７と一体に形成され、前記データ配線２３は、前記ゲート絶縁膜１８の上に形成され、前記ＴＦＴ１６のドレイン電極２１に接続されている。
【００３９】
そして、前記第１の電極１４は、前記ゲート絶縁膜１８の上に、各画素行にそれぞれ対応させて設けられた導電膜１４ａからなっており、これらの導電膜１４ａは、その端部において共通接続されている。
【００４０】
なお、この実施例では、前記導電膜１４ａの各画素Ａに対応する領域の間の部分の幅を小さくしているが、この導電膜１４ａは、その全長に充分に広い範囲に亙って前記画素Ａの全域に対応する幅に形成してもよい。
【００４１】
また、前記第２の電極１５は、前記第１の電極１４を覆う前記層間絶縁膜２４の上に各画素Ａにそれぞれ対応させて設けられ、複数の櫛歯部を有する櫛形形状にパターニングされた櫛形導電膜１５ａからなっており、この櫛形導電膜１５ａの各櫛歯部をつなぐ基部の一端において前記ＴＦＴ１６のソース電極２０に接続されている。
【００４２】
なお、前記層間絶縁膜２４は、前記画素形成電極基板１２の略全面に、前記第１の電極１４とＴＦＴ１６及びデータ配線２３を覆って設けられており、前記櫛形導電膜１５ａは、前記層間絶縁膜２４に設けられたコンタクト孔（図示せず）において前記ＴＦＴ１６のソース電極２０に接続されている。
【００４３】
前記櫛形導電膜１５ａは、例えば等間隔で形成された４本の櫛歯部を有しており、１つの画素（第１と第２の電極１４，１５間に生成された横電界により液晶分子の配向状態が制御される領域）Ａは、前記導電膜１４ａと、前記櫛形導電膜１５ａの前記導電膜１４ａに対応する４つの櫛歯部とにより形成されている。
【００４４】
また、前記櫛形導電膜１５ａの各櫛歯部は、液晶表示素子１０の画面の上下方向、つまり前記画面の縦軸Ｏに対して、左右いずれか一方の方向に、５°〜１５°の角度θで傾いた方向に沿う細長形状に形成されており、これらの櫛歯部の幅ａと、隣合う櫛歯部間の間隔ｂとの比ｂ／ａは、１／３〜３／１、好ましくは１／１に設定されている。
【００４５】
一方、前記対向基板１１の内面の第３の電極２５は、前記複数の画素Ａの配列領域全体に対向する一枚膜状の導電膜からなっている。
【００４６】
なお、この液晶表示素子１０は、前記複数の画素Ａ毎にそれぞれ対応する赤、緑、青の３色のカラーフィルタ２６Ｒ，２６Ｇ，２６Ｂを備えたカラー画像表示素子であり、前記カラーフィルタ２６Ｒ，２６Ｇ，２６Ｂは前記対向基板１１の基板面上に形成され、その上に前記第３の電極２５が形成されている。
【００４７】
また、前記対向基板１１の内面と前記画素形成電極基板１２の内面にはそれぞれ、前記第１と第２の電極１４，１５及び前記第３の電極２５を覆って、水平配向膜２７，２８が設けられており、これらの配向膜２７，２８はそれぞれ、前記第１と第２の電極１４，１５間に生成される横電界の方向に対して予め定めた角度で斜めに交差する方向に沿って互いに逆方向にラビングすることにより配向処理されている。
【００４８】
すなわち、前記配向膜２７，２８はそれぞれ、前記第２の電極１５の縁部、つまり前記櫛形導電膜１５ａの各櫛歯部の縁部の長さ方向に対して予め定めた角度で斜めに交差する方向に沿って互いに逆方向に配向処理されている。
【００４９】
前記一対の対向基板１１と、前記画素形成電極基板１２は、前記複数の画素Ａの配列領域、つまり液晶表示素子１０の画面領域を囲む枠状のシール材（図示せず）を介して接合されており、前記液晶層１３は、前記対向基板１１と画素形成電極基板１２との間の前記シール材で囲まれた領域に封入されている。
【００５０】
前記液晶層１３の液晶分子は、前記配向膜２７，２８の配向処理方向に分子長軸を揃えて、前記基板１１，１２面と実質的に平行に配向している。
【００５１】
そして、この液晶表示素子１０の液晶分子が前記配向膜２７，２８の配向処理方向に分子長軸を揃えて基板１１，１２面と実質的に平行に配向した状態におけるΔｎｄ（液晶の屈折率異方性Δｎと液晶層厚ｄの積）の値は、可視光帯域の中間波長の１／２の値である略２７５ｎｍ付近に設定されている。
【００５２】
図４は、前記液晶表示素子１０の対向基板１１と画素形成電極基板１２の配向膜２７，２８の配向処理方向（ラビング方向）１１ａ，１２ａと前記偏光板２９，３０の透過軸２９ａ，３０ａの向きを示している。
【００５３】
図４のように、前記対向基板１１と画素形成電極基板１２の配向膜２７，２８は、液晶表示素子１０の画面の上下方向（画面の縦軸Ｏ）と実質的に平行な方向、つまり、画面の縦軸Ｏに対して左右いずれか一方の方向に５°〜１５°の角度θで傾いた方向に沿う細長形状に形成された櫛歯部を有する櫛形導電膜１５ａからなる第２の電極１５に対してその傾き方向とは反対方向に前記角度θで傾いた方向に沿って、互いに逆方向に配向処理されており、前記一対の偏光板２９，３０のうち、観察側の偏光板２９は、その透過軸２９ａを前記配向処理１１ａ，１２ａと実質的に平行にして配置され、反対側の偏光板３０は、その透過軸３０ａを観察側偏光板２９の透過軸２９ａと実質的に直交または平行にして配置されている。
【００５４】
すなわち、この液晶表示素子１０は、前記対向基板１１と画素形成電極基板１２の配向膜２７，２８の配向処理方向１１ａ，１２ａを、液晶表示素子１０の画面の上下方向（画面の縦軸Ｏ）に対して実質的に平行な方向とし、この配向処理方向１１ａ，１２ａに対して前記櫛形導電膜１５ａの櫛歯部の長手方向を５°〜１５°の角度θで傾いた方向に形成し、且つ前記一対の偏光板２９，３０のうち、観察側の偏光板２９の透過軸２９ａを前記配向処理方向１１ａ，１２ａに対して実質的に平行に配置している。
【００５５】
そして、この実施例では、前記観察側偏光板２９の透過軸２９ａと反対側偏光板３０の透過軸３０ａとを互いに直交させ、前記液晶表示素子１０をノーマーリーブラックモードの表示素子としている。
【００５６】
なお、この液晶表示素子１０は、外部からの静電気を遮断するための一枚膜状の透明な導電膜３１を備えており、この静電気遮断用導電膜３１は、観察側基板である前記対向基板１１と、その外面に配置された観察側偏光板２９との間に設けられている。
【００５７】
また、この液晶表示装置は、図５〜図８に示したように、画像データに対応する表示駆動電圧を発生する信号源３３と、前記信号源３３からの表示駆動電圧を前記液晶表示素子１０の各画素Ａの第１と第２の電極１４，１５間に供給するための手段である駆動制御スイッチ３４とを有する画像表示駆動手段３２を備えている。
【００５８】
この画像表示駆動手段３２は、前記書込みスイッチ３４のＯＮにより、前記液晶表示素子１０の各画素Ａの第１と第２の電極１４，１５間に前記画像データに対応する表示駆動電圧を供給し、前記第１と第２の電極１４，１５間に前記表示駆動電圧に応じた横電界（基板１２面と実質的に平行な方向の電界）を生成する。
【００５９】
さらに、この液晶表示装置は、図５〜図８に示したように、前記液晶表示素子１０の各画素Ａの液晶分子を基板１１，１２面に対して例えば４５°〜７０°の範囲内の予め設定された角度で斜めに立上がり配向させるための、前記表示駆動電圧に対して独立した視野角制御電圧を発生する信号源３６と、前記信号源３６からの視野角制御電圧を、前記液晶表示素子１０の各画素Ａの前記第１の電極１４と前記第３の電極２５との間にスタティック的に供給するための手段である視野角制御スイッチ３７とを有する視野角制御駆動手段３５を備えている。
【００６０】
この視野角制御駆動手段３５は、前記視野角制御スイッチ３７のＯＮにより、前記液晶表示素子１０の各画素Ａの第１の電極１４と第３の電極２５との間に、前記画像表示駆動手段３２から前記第１と第２の電極１４，１５間に供給される前記表示駆動電圧に対して独立した視野角制御電圧を供給し、その電極１４，２５間に前記液晶層１３の厚さ方向と実質的に平行な方向の縦電界を生成する。
【００６１】
なお、前記視野角制御スイッチ３７は、図１に示した携帯電話機に蓋体２または電話機本体１に設けられた視野角選択キー７による広視野角の選択に連動してＯＦＦし、前記視野角選択キー７による狭視野角の選択に連動してＯＮする自動切換えスイッチであり、前記視野角制御駆動手段３５は、前記視野角選択キー７により広視野角が選択されたとき、つまり前記視野角制御スイッチ３７のＯＦＦ時は前記第１の電極１４と第３の電極２５との間に視野角制御電圧を供給せず、前記視野角選択キー７により狭視野角が選択されたときに、前記視野角制御スイッチ３７のＯＮにより前記第１の電極１４と第３の電極２５との間に前記視野角制御電圧を供給する。
【００６２】
この液晶表示装置は、前記画像表示駆動手段３２により、前記液晶表示素子１０の画素形成電極基板１２の内面の第１と第２の電極１４，１５間に画像データに応じた表示駆動電圧に対応する横電界を生成して画像を表示し、前記視野角制御駆動手段３５により、前記液晶表示素子１０の画素形成電極基板１２の内面の前記第１の電極１４と、対向基板１１の内面に少なくとも前記画素（第１と第２の電極１４，１５間に生成された横電界により液晶分子が配向状態を変える領域）Ａの全域に対応させて設けられた第３の電極２５との間に、前記表示駆動電圧に対して独立した視野角制御電圧に対応する縦電界を生成して表示の視野角を狭くするものであり、前記縦電界を生成しないときは広い視野角が得られ、前記縦電界を生成すると視野角が狭くなる。
【００６３】
図５及び図６は、前記液晶表示素子１０の１つの画素Ａの縦電界を生成しない状態における液晶分子の配向の変化を模式的に示した図であり、図５は前記第１と第２の電極１４，１５間に横電界を生成されていないときの配向状態、図５は前記第１と第２の電極１４，１５間に横電界が生成されたときの配向状態を示している。
【００６４】
縦電界を生成しない加状態では、前記液晶分子１３ａが基板１１，１２面と実質的に平行に配向しており、前記第１と第２の電極１４，１５間に横電界が生成されていないときは、図５のように一対の基板１１，１２の配向膜２７，２８の配向処理方向１１ａ，１２ａに分子長軸を揃えて配向し、前記第１と第２の電極１４，１５間に横電界が生成されたときに、図６のように前記横電界の方向に分子長軸を揃えて配向する。
【００６５】
すなわち、前記第１の電極１４は、少なくとも前記画素Ａの全域に対応させて形成されており、前記第２の電極１５は、前記第１の電極１４を覆う層間絶縁膜２４の上に、前記画素Ａよりも小さい面積を有する形状に形成され、前記第２の電極１５をその縁部において前記第１の電極１５と対向しているため、前記第１と第２の電極１４，１５間に前記表示駆動電圧を供給すると、つまり前記第２の電極１５の縁部に対応する部分、つまり前記第２の電極１５の縁部と、前記第１の電極１４の第２の電極１５の縁に対応する部分との間に、前記画素形成電極基板１２面と実質的に平行な方向の横電界が生成され、その横電界により、液晶分子１３ａが前記横電界の方向に分子長軸を揃えて配向し、それらの液晶分子の挙動の影響を受けて第２の電極１５の櫛歯部の中央の液晶分子及び前記櫛歯部の間の中央に位置する前記第１の電極１４上の液晶分子１３ａも同様に配向する。
【００６６】
この実施例では、前記第２の電極１５を、複数の櫛歯部を有する櫛形形状にパターニングされた櫛形導電膜１５ａにより形成しているため、前記画素Ａの多数箇所、つまり前記櫛形導電膜１５ａの各櫛歯部の両側の縁部にそれぞれ対応する部分に横電界が生成され、前記画素Ａの略全域において液晶分子１３ａが前記横電界の方向に分子長軸を揃えて配向する。
【００６７】
そして、縦電界を生成しない状態では、液晶分子１３ａが、前記第１と第２の電極１４，１５間に生成された横電界により前記基板１１，１２面と実質的に平行な面内で配向方位（分子長軸の向き）を変えるため、液晶表示素子１０のΔｎｄの視角依存性が小さく、したがって、横電界制御型液晶表示素子と同じ広い視野角が得られる。
【００６８】
図７及び図８は、前記液晶表示素子１０の１つの画素Ａの縦電界を生成した状態における液晶分子の配向状態を模式的に示した図であり、図７は前記第１と第２の電極１４，１５間に横電界が生成されていないときの配向状態、図８は前記第１と第２の電極１４，１５間に横電界が生成されたときの配向状態を示している。
【００６９】
前記画素Ａの第１の電極１４と第３の電極２５との間に前記視野角制御電圧を供給すると、前記第１の電極１４の櫛形導電膜１５ａの各櫛歯部の間に対応する部分と、画素Ａの全域に対応する前記第３の電極２５との間に、前記液晶層１３の実質的に平行な方向の縦電界が生成され、その縦電界により、液晶分子１３ａが基板１１，１２面に対して斜めに立上がり配向する。
【００７０】
なお、前記縦電界は、前記第１の電極１４の櫛形導電膜１５ａの各櫛歯部の間に対応する部分から前記第３の電極２５に向って幅が大きくなる略逆台形状の領域に生成され、その縦電界により、液晶分子１３ａが斜めに立上がり配向し、それに連られて、前記画素Ａの縦電界が弱い領域の液晶分子１３ａも同様に立上がり配向する。
【００７１】
そして、縦電界を生成した状態では、液晶分子１３ａが上記のように基板１１，１２面に対して斜めに立上がり配向した状態で、前記第１と第２の電極１４，１５間に生成された横電界により配向方位を変える。
【００７２】
すなわち、縦電界を生成した状態では、前記第１と第２の電極１４，１５間に横電界を生成しないときは、前記液晶分子１３ａが前記立上がり配向状態で図７のように一対の基板１１，１２の配向膜２７，２８の配向処理方向１１ａ，１２ａに分子長軸を揃えて配向し、前記第１と第２の電極１４，１５間に横電界が生成されたときに、図８のように前記横電界の方向に分子長軸を揃えて配向する。
【００７３】
このときも、前記横電界は、前記画素Ａの多数箇所（櫛形導電膜１５ａの各櫛歯部の両側の縁部にそれぞれ対応する部分）に生成され、その横電界により液晶分子１３ａが前記横電界の方向に分子長軸を揃えて配向し、それに連られて、前記画素Ａの縦電界が弱い領域の液晶分子１３ａも同様に立上がり配向する。
【００７４】
そして、縦電界を生成した状態では、液晶分子１３ａの斜め方向の立上がり配向により液晶表示素子１０のΔｎｄの視角依存性が大きくなるため、液晶表示素子１０の正面方向（液晶表示素子１０の法線付近の方向）から見た表示は前記縦電界を生成しない状態での表示とほとんど変わらないコントラストの良い表示であるが、前記正面方向に対して斜めに傾いた方向から見ると、前記Δｎｄの視角依存性により、正面方向から見たときとは異なる位相差が生じ、表示をほとんど視認することができなくなり、表示を十分なコントラストで視認できる視野角が、正面方向の狭い範囲になる。
【００７５】
なお、この実施例では、前記液晶表示素子１０を、一対の偏光板２９，３０の透過軸２９ａ，３０ａを実質的に直交させたノーマリーブラックモードとしているため、縦電界を生成しない状態及び縦電界を生成した状態のいずれでも、前記横電界を生成しないときの表示は暗表示、前記横電界を生成したときの表示は明表示である。
【００７６】
この液晶表示装置は、前記液晶表示素子１０の画素形成電極基板１２の内面の前記第１の電極１４と、対向基板１１の内面に少なくとも前記画素Ａの全域に対応させて設けられた第３の電極２５との間に、前記表示駆動電圧に対して独立した視野角制御電圧に対応する縦電界を生成して表示の視野角を狭くするものであるため、充分に広い範囲に亙って安定した視野制御を行なうことができる。
【００７７】
また、この液晶表示装置は、前記液晶表示素子１０の画素形成電極基板１２の内面の前記第１と第２の電極１４，１５のうち、前記第１の電極１４を、少なくとも前記画素Ａの全域に対応させて形成し、前記第２の電極１５を、前記第１の電極１４を覆う層間絶縁膜２４の上に、前記画素Ａよりも小さい面積を有し且つ縁部において前記第１の電極と対向する形状に形成し、前記視野角制御駆動手段３５を、前記第１の電極１４と前記液晶表示素子１０の対向基板１１の内面の前記第３の電極２５との間に前記視野角制御電圧を供給するように構成しているため、前記第１の電極１４の第２の電極１５の側方に対応する部分と前記第２の電極１５の縁部との間に前記横電界を生成し、その横電界により液晶分子１３ａの配向方位を変化させて良好な画像を表示するとともに、前記画素Ａの前記縦電界を生成する領域を充分に大きくし、前記液晶分子１３ａを前記画素Ａの略全域において斜めに立上がり配向させて、より安定した視野制御を行なうことができる。
【００７８】
この実施例では、前記第２の電極１５を、複数の櫛歯部を有する櫛形形状にパターニングされた櫛形導電膜１５ａにより形成しているため、前記画素Ａの多数箇所に前記横電界を生成し、前記画素Ａの略全域において液晶分子の配向方位を変化させて、より良好な画像を表示するとともに、前記第１の電極１４の前記櫛形導電膜１５ａの各櫛歯部の間に対応する部分と、前記画素Ａの全域に対応する前記第３の電極２５との間に縦電界を生成して、前記画素Ａの略全域において液晶分子１３ａを斜めに立上がり配向させ、さらに安定した視野制御を行なうことができる。
【００７９】
さらに、この液晶表示装置は、前記液晶表示素子１０の一対の基板１１，１２の内面にそれぞれ配向膜２７，２８を形成し、それぞれの配向膜２７，２８を、前記第１と第２の電極１４，１５間に印加される横電界の方向に対して予め定めた角度θで斜めに交差する方向に沿って互いに逆方向に配向処理しているため、前記液晶分子１３ａを、前記配向処理方向１１ａ，１２ａ、つまり前記横電界の方向に対して前記予め定めた角度θで斜めに交差する方向に分子長軸を揃えて配向した無電界時の状態から、前記横電界の生成により一方向回りに配向方位を変えるように動作させ、輝度むらの無い画像を表示することができる。
【００８０】
また、この液晶表示装置は、前記液晶表示素子１０の画素形成電極基板１２の内面の第１の電極１４を、少なくとも画素Ａの全域に対応する第１の導電膜１４ａにより形成し、第２の電極１５を、前記櫛形導電膜１５ａにより形成し、前記基板１１，１２の内面に形成された配向膜２７，２８をそれぞれ、前記第２の電極１５の縁部の長さ方向に対して予め定めた角度θで斜めに交差する方向に沿って互いに逆方向に配向処理しているため、前記液晶分子１３ａを、前記配向処理方向（横電界の方向に対して予め定めた角度θで斜めに交差する方向）１１ａ，１２ａに分子長軸を揃えて配向した無電界時の状態から、前記横電界の印加により一方向回りに配向方位を変えるように動作させ、輝度むらの無い画像を表示することができる。
【００８１】
さらにまた、この液晶表示装置は、前記液晶表示素子１０の一対の基板１１，１２の内面に形成された配向膜２７，２８をそれぞれ、前記液晶表示素子１０の画面の上下方向（画面の縦軸Ｏ）と実質的に平行な方向に沿って互いに逆方向に配向処理し、前記一対の偏光板２９，３０のうち、観察側の偏光板２９を、その透過軸２９ａを前記配向処理１１亜，１２ａと実質的に平行にして配置し、反対側の偏光板３０を、その透過軸３０ａを前記観察側の偏光板２９の透過軸２９ａと実質的に直交させて配置しているため、前記液晶表示素子１０の法線に対して左右方向にそれぞれ略同じ角度傾いた角度範囲の広視野角と、その角度範囲を左右方向から略同じ角度ずつ狭めた狭視野角とを得ることができる。
【００８２】
なお、上記実施例の液晶表示装置は、前記液晶表示素子１０をノーマリーブラックモードとしたものであるが、この前記液晶表示素子１０は、観察側と反対側の偏光板２９，３０を、それぞれの透過軸２９ａ，３０ａを実質的に互いに平行にして配置したノーマリーホワイトモードとしてもよい。
【００８３】
また、前記液晶表示装置は、図１に示した携帯電話機に限らず、表示部を有する他の電子機器にも使用することができる。
【００８４】
（第２の実施形態）
図９はこの発明の第２の実施例を示す液晶表示素子の一方の基板の一部分の平面図である。なお、この実施例において、上述した第１の実施例に対応するものには図に同符号を付し、同じものについてはその説明を省略する。
【００８５】
この実施例の液晶表示装置は、液晶表示素子１０の画素形成電極基板１２の内面の第２の電極１５を、前記液晶表示素子１０の画面の上下方向、つまり前記画面の縦軸Ｏに対して、左右いずれか一方の方向に、５°〜１５°の角度θで傾いた方向に沿う複数のスリットＳを有する形状にパターニングされたスリット形成導電膜１５ｂにより形成したものであり、他の構成は第１の実施例と同じである。
【００８６】
この液晶表示装置は、液晶表示素子１０の画素形成電極基板１２の内面の第２の電極１５を、前記スリット形成導電膜１５ｂにより形成しているため、図５〜図８に示した画像表示駆動手段３２からＴＦＴ１６を介して前記第２の電極１５に供給された表示駆動電圧を、電圧降下をほとんど生じさせることなく前記第２の電極１５の全体に行き渡らせ、前記画素Ａの多数箇所、つまり前記スリット形成導電膜１５ｂに印加される電圧を均一にすることができる。
【００８７】
したがって、前記画素Ａの多数箇所、つまり前記スリット形成導電膜１５ｂの各スリットＳの両側の縁部にそれぞれ対応する部分に均一な強さの横電界を生成し、前記画素Ａの略全域において液晶分子１３ａの配向方位を均等に制御して、さらに良好な画像を表示するとともに、前記第１の電極１４の前記スリット形成導電膜１５ｂの各スリットＳに対応する部分と、前記画素Ａの全域に対応する前記第３の電極との間に縦電界を印加して、前記画素Ａの略全域において液晶分子１３ａを斜めに立上がり配向させ、さらに安定した視野制御を行なうことができる。
【００８８】
（第３の実施形態）
図１０及び図１１はこの発明の第３の実施例を示す液晶表示素子の一方の基板の一部分の平面図及び前記液晶表示素子の一部分の断面図である。なお、この実施例において、上述した第１の実施例に対応するものには図に同符号を付し、同じものについてはその説明を省略する。
【００８９】
この実施例の液晶表示装置は、液晶表示素子１０の画素形成電極基板１２の内面の前記第１と第２の電極１４，１５を、前記基板１２面に沿った方向に間隔を隔てて設けたものであり、この実施例では、前記第１の電極１４を、互いに平行な複数のスリットＳを有する形状にパターニングされた第１の櫛形導電膜１４ｂにより形成し、前記第２の電極１５を、前記第１の櫛形導電膜１４ｂの複数の櫛歯部にそれぞれ間隔を隔てて隣接する複数の櫛歯部を有する櫛形形状にパターニングされた第２の櫛形導電膜１５ｃにより形成したものであり、他の構成は第１の実施例と同じである。
【００９０】
なお、前記第１の電極１４を形成する前記第１の櫛形導電膜１４ｂは、各画素行毎に、その行の複数の画素Ａに対応する櫛形導電膜１４ｂ同士を一体につないだ形状に形成され、これらの各行の櫛形導電膜１４ｂは、その端部において共通接続されている。
【００９１】
また、前記第２の電極１５を形成する前記第２の櫛形導電膜１５ｃは、各画素Ａにそれぞれ対応させて設けられ、前記画素形成電極基板１２の内面に形成された複数のＴＦＴ１６にそれぞれ接続されている。
【００９２】
さらに、前記第１の櫛形導電膜１４ｂ及び第２の櫛形導電膜１５ｃの各櫛歯部は、液晶表示素子１０の画面の上下方向、つまり前記画面の縦軸Ｏに対して、左右いずれか一方の方向に、５°〜１５°の角度θで傾いた方向に沿う細長形状に形成されており、これらの櫛歯部の幅ａ１，ａ２と、前記第１の櫛形導電膜１４ｂの櫛歯部と前記第２の櫛形導電膜１５ｃの櫛歯部との間隔ｃの比ｃ／ａ１及びｃ／ａは、１／３〜３／１、好ましくは１／１に設定されている。
【００９３】
また、前記液晶表示素子１０の一対の基板１１，１２の内面に形成された配向膜２７，２８は、前記液晶表示素子１０の画面の上下方向（画面の縦軸Ｏ）と実質的に平行な方向に沿って互いに逆方向に配向処理されており、一対の偏光板２９，３０のうち、観察側の偏光板２８は、その透過軸を前記配向処理と実質的に平行にして配置され、反対側の偏光板３０は、その透過軸を前記観察側の偏光板２９の透過軸と実質的に直交または平行にして配置されている。
【００９４】
この液晶表示装置は、前記液晶表示素子１０の画素形成電極基板１２の内面の第１と第２の電極１４，１５を、前記基板１２面に沿った方向に間隔を隔てて設けているため、前記第１と第２の電極１４，１５の互いに対向する縁部の間に前記横電界を生成し、その横電界により液晶分子１３ａの配向方位を変化させて画像を表示するとともに、前記第１と第２の電極１４，１５のいずれか一方と、前記液晶表示素子１０の対向基板１１の内面に少なくとも前記画素Ａの全域に対応させて設けられた第３の電極２５との間への前記視野角制御電圧の供給によりその電極１４，２５間、または１５，２５間に前記縦電界を生成し、安定した視野制御を行なうことができる。
【００９５】
この実施例では、前記第１の電極１４を、複数の櫛歯部を有する櫛形形状にパターニングされた第１の櫛形導電膜１４ｂにより形成し、前記第２の電極１５を、前記第１の櫛形導電膜１４ｂの複数の櫛歯部にそれぞれ間隔を隔てて隣接する複数の櫛歯部を有する櫛形形状にパターニングされた第２の櫛形導電膜１５ｃにより形成しているため、前記画素Ａの複数箇所に前記横電界を生成して液晶分子１３ａの配向方位を変化させ、良好な画像を表示することができる。
【図面の簡単な説明】
【００９６】
【図１】液晶表示装置を備えた電子機器の正面図。
【図２】この発明の第１の実施例を示す液晶表示装置の液晶表示素子の一方の基板の一部分の平面図。
【図３】前記液晶表示素子の一部分の断面図。
【図４】前記液晶表示素子の一対の基板の内面にそれぞれ設けられた配向膜の配向処理方向と偏光板の透過軸の向きを示す図。
【図５】液晶表示素子の１つの画素の縦電界を生成しない状態における液晶分子の配向の変化を模式的に示す、横電界を生成しないときの配向状態図。
【図６】前記１つの画素の縦電界を生成しない状態における液晶分子の配向の変化を模式的に示す、横電界を生成したときの配向状態図。
【図７】前記１つの画素の縦電界を生成した状態における液晶分子の配向の変化を模式的に示す、横電界を生成しないときの配向状態図。
【図８】前記１つの画素の縦電界を生成した状態における液晶分子の配向の変化を模式的に示す、横電界を生成したときの配向状態図。
【図９】この発明の第２の実施例を示す液晶表示素子の一方の基板の一部分の平面図。
【図１０】この発明の第３の実施例を示す液晶表示素子の一方の基板の一部分の平面図。
【図１１】第３の実施例の液晶表示素子の一部分の断面図。
【符号の説明】
【００９７】
１０…液晶表示素子、１１，１２…基板、１３…液晶層、１３ａ…液晶分子、１４…第１の電極、１４ａ…導電膜、１４ｂ…櫛形導電膜、１５…第２の電極、１５ａ，１５ｃ…櫛形導電膜、１５ｂ…スリット形成導電膜、１６…ＴＦＴ、２２…ゲート配線、２３…データ配線、２４…層間絶縁膜、２５…第３の電極、２６Ｒ，２６Ｇ，２６Ｂ…カラーフィルタ、２７，２８…配向膜、１１ａ，１２ａ…配向処理方向、２９，３０…偏光板、２９ａ，３０ａ…透過軸、３１…静電気遮断導電膜、３２…画像表示駆動手段、３５…視野角制御駆動手段。
【図１】
2006337600.tif 000003
【図２】
2006337600.tif 000004
【図３】
2006337600.tif 000005
【図４】
2006337600.tif 000006
【図５】
2006337600.tif 000007
【図６】
2006337600.tif 000008
【図７】
2006337600.tif 000009
【図８】
2006337600.tif 000010
【図９】
2006337600.tif 000011
【図１０】
2006337600.tif 000012
【図１１】
2006337600.tif 000013
【手続補正書】
【提出日】平成17年10月27日(2005.10.27)
【手続補正１】
【補正対象書類名】特許請求の範囲
【補正対象項目名】全文
【補正方法】変更
【補正の内容】
【特許請求の範囲】
【請求項１】
間隙を存して対向する一対の基板間に液晶層が設けられ、前記一対の基板の互いに対向する内面のうち、一方の基板の内面に、前記液晶層に前記基板面と実質的に平行な方向の横電界を生成するための互いに絶縁された第１と第２の電極が設けられ、他方の基板の内面に、少なくとも前記第１と第２の電極間に生成された前記横電界により液晶分子の配向状態が制御される領域からなる画素の全域に対応する第３の電極が設けられ、前記一対の基板を挟んで一対の偏光板が配置された液晶表示素子と、
前記液晶表示素子の前記第１と第２の電極間に画像データに対応する表示駆動電圧を供給し、前記第１と第２の電極間に前記横電界を生成する画像表示駆動手段と、
前記液晶表示素子の前記第１と第２の電極のいずれか一方と前記第３の電極との間に前記表示駆動電圧に対して独立した視野角制御電圧を供給し、その電極間に前記液晶層の厚さ方向と実質的に平行な方向の縦電界を生成する視野角制御駆動手段とを備えたことを特徴とする液晶表示装置。
【請求項２】
液晶表示素子の一方の基板の内面の第１と第２の電極のうち、前記第１の電極は、少なくとも画素の全域に対応させて形成され、前記第２の電極は、前記第１の電極を覆う絶縁膜の上に、前記画素よりも小さい面積を有し且つ縁部において前記第１の電極と対向する形状に形成され、視野角制御駆動手段は、前記第１の電極と、前記液晶表示素子の他方の基板の内面の第３の電極との間に視野角制御電圧を供給することを特徴とする請求項１に記載の液晶表示装置。
【請求項３】
第２の電極は、複数の櫛歯部を有する櫛形形状にパターニングされた櫛形導電膜からなっていることを特徴とする請求項２に記載の液晶表示装置。
【請求項４】
第２の電極は、複数のスリットを有する形状にパターニングされたスリット形成導電膜からなっていることを特徴とする請求項２に記載の液晶表示装置。
【請求項５】
液晶表示素子の一方の基板の内面の第１と第２の電極は、基板面に沿った方向に間隔を隔てて設けられていることを特徴とする請求項１に記載の液晶表示装置。
【請求項６】
第１の電極は、複数の櫛歯部を有する櫛形形状にパターニングされた第１の櫛形導電膜からなり、第２の電極は、前記第１の櫛形導電膜の複数の櫛歯部にそれぞれ間隔を隔てて隣接する複数の櫛歯部を有する櫛形形状にパターニングされた第２の櫛形導電膜からなっていることを特徴とする請求項５に記載の液晶表示装置。
【請求項７】
液晶表示素子の一対の基板の内面にそれぞれ配向膜が形成され、それぞれの配向膜は、前記第１と第２の電極間に生成される横電界の方向に対して予め定めた角度で斜めに交差する方向に沿って互いに逆方向に配向処理されていることを特徴とする請求項１〜６のいずれかに記載の液晶表示装置。
【請求項８】
液晶表示素子の一対の基板の内面にそれぞれ配向膜が形成され、それぞれの配向膜は、第２の電極の縁部の長さ方向に対して予め定めた角度で斜めに交差する方向に沿って互いに逆方向に配向処理されていることを特徴とする請求項３、４、６のいずれかに記載の液晶表示装置。
【請求項９】
液晶表示素子の一対の基板の内面にそれぞれ配向膜が形成され、それぞれの配向膜は、前記液晶表示素子の画面の上下方向と実質的に平行な方向に沿って互いに逆方向に配向処理されており、一対の偏光板のうち、観察側の偏光板は、その透過軸を前記配向処理と実質的に平行にして配置され、反対側の偏光板は、その透過軸を前記観察側の偏光板の透過軸と実質的に直交または平行にして配置されていることを特徴とする請求項１〜６のいずれかに記載の液晶表示装置。
【手続補正２】
【補正対象書類名】明細書
【補正対象項目名】００２８
【補正方法】変更
【補正の内容】
【００２８】
さらに、この発明の液晶表示装置においては、前記液晶表示素子の一対の基板の内面に形成された配向膜をそれぞれ、前記液晶表示素子の画面の上下方向と実質的に平行な方向に沿って互いに逆方向に配向処理し、前記一対の偏光板のうち、観察側の偏光板を、その透過軸を前記配向処理と実質的に平行にして配置し、反対側の偏光板を、その透過軸を前記観察側の偏光板の透過軸と実質的に直交または平行にして配置するのが好ましく、このようにすることにより、前記液晶表示素子の画面の上下方向に対して左右方向に対称な広視野角特性と、前記液晶表示素子の画面の上下方向に対して左右方向に対称な狭視野角特性とを得ることができる。
【手続補正３】
【補正対象書類名】明細書
【補正対象項目名】００４９
【補正方法】変更
【補正の内容】
【００４９】
前記対向基板１１と画素形成電極基板１２は、前記複数の画素Ａの配列領域、つまり液晶表示素子１０の画面領域を囲む枠状のシール材（図示せず）を介して接合されており、前記液晶層１３は、前記対向基板１１と画素形成電極基板１２との間の前記シール材で囲まれた領域に封入されている。
【手続補正４】
【補正対象書類名】明細書
【補正対象項目名】００６５
【補正方法】変更
【補正の内容】
【００６５】
すなわち、前記第１の電極１４は、少なくとも前記画素Ａの全域に対応させて形成されており、前記第２の電極１５は、前記第１の電極１４を覆う層間絶縁膜２４の上に、前記画素Ａよりも小さい面積を有する形状に形成され、その縁部において前記第１の電極１４と対向しているため、前記第１と第２の電極１４，１５間に前記表示駆動電圧を供給すると、前記第２の電極１５の縁部に対応する部分、つまり前記第２の電極１５の縁部と、前記第１の電極１４の第２の電極１５の縁に対応する部分との間に、前記画素形成電極基板１２面と実質的に平行な方向の横電界が生成され、その横電界により、液晶分子１３ａが前記横電界の方向に分子長軸を揃えて配向し、それらの液晶分子１３ａの挙動の影響を受けて、前記第２の電極１５の櫛歯部の中央の液晶分子１３ａ及び前記櫛歯部の間の中央に位置する前記第１の電極１４上の液晶分子１３ａも同様に配向する。
【手続補正５】
【補正対象書類名】明細書
【補正対象項目名】００６９
【補正方法】変更
【補正の内容】
【００６９】
前記画素Ａの第１の電極１４と第３の電極２５との間に前記視野角制御電圧を供給すると、前記第１の電極１４の櫛形導電膜１５ａの各櫛歯部の間に対応する部分と、画素Ａの全域に対応する前記第３の電極２５との間に、前記液晶層１３の厚さ方向と実質的に平行な方向の縦電界が生成され、その縦電界により、液晶分子１３ａが基板１１，１２面に対して斜めに立上がり配向する。
【手続補正６】
【補正対象書類名】明細書
【補正対象項目名】００８９
【補正方法】変更
【補正の内容】
【００８９】
この実施例の液晶表示装置は、液晶表示素子１０の画素形成電極基板１２の内面の前記第１と第２の電極１４，１５を、前記基板１２面に沿った方向に間隔を隔てて設けたものであり、この実施例では、前記第１の電極１４を、複数の櫛歯部を有する櫛形形状にパターニングされた第１の櫛形導電膜１４ｂにより形成し、前記第２の電極１５を、前記第１の櫛形導電膜１４ｂの複数の櫛歯部にそれぞれ間隔を隔てて隣接する複数の櫛歯部を有する櫛形形状にパターニングされた第２の櫛形導電膜１５ｃにより形成したものであり、他の構成は第１の実施例と同じである。
【手続補正７】
【補正対象書類名】図面
【補正対象項目名】図５
【補正方法】変更
【補正の内容】
【図５】
2006337600.tif 000014
【手続補正８】
【補正対象書類名】図面
【補正対象項目名】図６
【補正方法】変更
【補正の内容】
【図６】
2006337600.tif 000015
【手続補正９】
【補正対象書類名】図面
【補正対象項目名】図７
【補正方法】変更
【補正の内容】
【図７】
2006337600.tif 000016
【手続補正１０】
【補正対象書類名】図面
【補正対象項目名】図８
【補正方法】変更
【補正の内容】
【図８】
2006337600.tif 000017